(57)【要約】【課題】  シューズ内部の湿度変化に応じて、シューズ内部の空気とシューズ外部の空気の通気度を変化させ、シューズ内部を常に快適な状態に保つことのできるシューズを提供する。【解決手段】アッパー２とソール３からなるシューズ１において、アッパー材料として、湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維５のみあるいは当該繊維５を含む生地４を一部若しくは全部に用いる。【選択図】図６
2005102933.tif 000002
【特許請求の範囲】
【請求項１】
アッパーとソールからなるシューズにおいて、アッパー材料として、湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維のみあるいは当該繊維を含む生地を一部若しくは全部に用いたことを特徴とするシューズ。
【請求項２】
請求項１において、
湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維が、セルロースアセテート繊維であることを特徴とするシューズ。
【請求項３】
請求項１ないし２において、
前記生地がダブルラッセルメッシュであり、一方の表面が、請求項１ないし２に記載の該繊維のみあるいは該繊維を含む繊維で構成されており、他方の表面および連結糸は請求項１ないし２に記載の繊維を含まない繊維で構成されていることを特徴とするシューズ。
【請求項４】
請求項３において、前記ダブルラッセルメッシュの前記他方の表面および前記連結糸がポリエステル繊維で構成されていることを特徴とするシューズ。
【請求項５】
請求項１ないし４のいずれかにおいて、少なくとも前記アッパーのベロ部分が請求項１ないし４のいずれかに記載の生地で構成されていることを特徴とするシューズ。
【請求項６】
請求項１ないし５のいずれかにおいて、少なくとも前記アッパーの甲部分が請求項１ないし４のいずれかに記載の生地で構成されていることを特徴とするシューズ。
【発明の詳細な説明】
【技術分野】
【０００１】
本発明は、湿度変化によって捲縮率が可逆的に変化し表面形態が変化する繊維のみあるいは当該繊維を含む生地を、シューズのアッパー材料として用いたシューズに関する。
【背景技術】
【０００２】
従来からシューズの通気性を得るために、アッパー材料として、編物、織物、人造皮革等が用いられている。
【０００３】
例えば、特開平１０−１０３に開示されるように、３層構造編地において、圧縮率を２０％以上、カサ比重を０．３ｇ／ｃｍ３とし、更に表面層に撥水加工、裏面層に吸水加工を施した材料を、アッパー材料として用いることによって、通気性を得るという方法が取られていた。
【特許文献１】特開平１０−１０３号公報
【発明の開示】
【発明が解決しようとする課題】
【０００４】
しかし、この場合には、良好な通気性は得られるものの、特に冬季等の気温の低い時期にも常にシューズ内部の空気とシューズ外部の空気が通気し、シューズ外部の冷たい空気がシューズ内部に入り込むことによってシューズ内部の温度が下がり、足が冷たくなるという問題があった。
【０００５】
本発明は、前記従来の問題を解決するため、シューズ内部の湿度変化に応じてシューズ内部の空気とシューズ外部の空気の通気度を変化させる事によって、シューズ内部を常に快適な状態に保つことを目的とする。
【課題を解決するための手段】
【０００６】
前記目的を達成するため、請求項１に記載の発明は、
アッパーとソールからなるシューズにおいて、アッパー材料として、湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維のみあるいは当該繊維を含む生地を一部若しくは全部に用いたことを特徴とするシューズ
に関するものである。
【０００７】
また、請求項２に記載の発明は、
湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維が、セルロースアセテート繊維であることを特徴とするシューズ
に関するものである。
【０００８】
また、請求項３に記載の発明は、
前記生地がダブルラッセルメッシュであり、一方の表面が、請求項１ないし２に記載の該繊維のみあるいは該繊維を含む繊維で構成されており、他方の表面および連結糸は請求項１ないし２に記載の繊維を含まない繊維で構成されていることを特徴とするシューズ
に関するものである。
【０００９】
また、請求項４に記載の発明は、
前記ダブルラッセルメッシュの前記他方の表面および前記連結糸がポリエステル繊維で構成されていることを特徴とするシューズ
に関するものである。
【００１０】
また、請求項５に記載の発明は、
少なくとも前記アッパーのベロ部分が請求項１ないし４のいずれかに記載の生地で構成されていることを特徴とするシューズ
に関するものである。
【００１１】
また、請求項６に記載の発明は、
少なくとも前記アッパーの甲部分が請求項１ないし４のいずれかに記載の生地で構成されていることを特徴とするシューズ
に関するものである。
【発明の効果】
【００１２】
本発明は、湿度変化に応じてシューズ内部の空気とシューズ外部の空気の通気度を変化させ、シューズ内部を常に快適な状態に保つことが出来る。
【発明を実施するための最良の形態】
【００１３】
以下、本発明の実施態様を添付図面に基づいて説明する。
【００１４】
図１は本発明の一実施態様によるシューズの斜視図である。
本発明は、アッパー２とソール３とからなるシューズ１において、湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維５（以下湿度により捲縮率が変化する繊維５と記す）のみあるいは当該繊維を含む生地４を、アッパー２の材料として用いたものである。
【００１５】
図４は、湿度６５％の雰囲気下における、湿度により捲縮率が変化する繊維５の拡大図である。湿度６５％の雰囲気下では、湿度により捲縮率が変化する繊維５の捲縮率は１５〜２０％であり、図４に示すように縮れた状態にある。
また、図２は、湿度により捲縮率が変化する繊維５を含む編物４１の、湿度６５％の雰囲気下での拡大図である。湿度により捲縮率が変化する繊維５が縮れている事により、編目４２のカサが増え、編目間の空隙４３は図２に示すように比較的小さくなる。この状態での編物４１の通気度は１１０ｃｍ３／ｃｍ２・ｓｅｃである。
【００１６】
図５は、湿度９５％の雰囲気下における、湿度により捲縮率が変化する繊維５の拡大図である。湿度９５％の雰囲気下では、湿度により捲縮率が変化する繊維５の捲縮率は１０％未満となり、図５に示すように、湿度が６５％の雰囲気下の状態と比較して伸びた状態となる。
また、図３は、湿度により捲縮率が変化する繊維５を含む編物４１の、湿度９５％の雰囲気下での拡大図である。湿度により捲縮率が変化する繊維５が伸びる事により、編目４２のカサが減り、編目間の空隙４３は図３に示す様に湿度６５％の雰囲気下の状態と比較して大きくなる。この状態での通気度は１５０ｃｍ３／ｃｍ２ ・ｓｅｃとなり、湿度６５％の雰囲気下の状態と比較して約１．４倍の通気度を得ることが出来る。
【００１７】
また、図示はしないが、湿度４５％以下の雰囲気下においては、湿度により捲縮率が変化する繊維５の捲縮率は２０％以上となり、湿度６５％の雰囲気下における状態に比べさらに縮れた状態となる。結果、編目４２は図２に示す状態よりさらにカサが増え、編目間の空隙４３はさらに小さくなる。
【００１８】
また、図示はしないが、本発明の生地４を織物で構成した場合も、湿度が９５％の雰囲気下では、湿度により捲縮率が変化する繊維５の捲縮率が小さくなり織目間の空隙が大きくなる事により、湿度４５％および湿度６５％の雰囲気下での状態と比較して、より高い通気度を得ることが出来る。
【００１９】
さて、通常、シューズ内部の湿度は着用前はシューズ外部と同様であり、冬場のもっとも乾燥状態にある時で約４５％程度、それ以外の季節で５０％〜７５％程度である。また、着用した場合は、季節に関わらず３０分程度の歩行をすることによって、９５％程度まで上昇する。
【００２０】
よって、湿度により捲縮率が変化する繊維５のみあるいは当該繊維を含む生地４をアッパー２の材料として用いる事により、シューズ１内部の湿度の変化に応じて生地４中の空隙４３の大きさが変化することによって生地４の通気度が変化し、シューズ１内部の空気をシューズ１外部に通気させる事が出来る。
すなわち、冬場の着用直後はシューズ１内部の湿度が低く空隙４３が小さいことにより、シューズ１外部の空気はシューズ１内部に通気せず、シューズ１内部が冷える事を防止出来る。また、着用後シューズ１内部の湿度が上昇した場合および夏場は、空隙４３が大きくなることにより、シューズ１内部の空気をシューズ１外部へ通気させる事が出来る。
【００２１】
湿度により捲縮率が変化する繊維をセルロースアセテート繊維で構成するのが好ましい。
【００２２】
効果を考慮すると、セルロースアセテート繊維が生地４中に含まれる割合は、２０％以上が望ましい。また、強度の点を考慮すると、８０％以下が望ましい。
【００２３】
図６は、生地４を３層構造とし、一方の表面６１を湿度により捲縮率が変化する繊維５で構成したダブルラッセルメッシュ６の模式図である。
【００２４】
湿度が高くなると、ダブルラッセルメッシュ６の表面６１中の湿度により捲縮率が変化する繊維５の捲縮率が小さくなり、空隙４３は大きくなる。一方、湿度が上昇することにより、湿度により捲縮率が変化する繊維５が伸びた状態となり、結果、表面６１中の編目４２全体が伸び、湿度により捲縮率が変化する繊維５が縮んでいる場合に比べて、表面６１全体の面積が増加してしまう。
そこで、図６に示すように、連結糸６２および他方の表面６３を湿度により捲縮率が変化する繊維５を含まない繊維で構成し、3層構造にすることによって、湿度の増加に伴って表面６１の湿度により捲縮率が変化する繊維５が伸びた場合にも、連結糸６２および他方の表面６３は伸びないので、ダブルラッセルメッシュ６全体の面積は変化せず、一定の大きさを保つことが出来る。
【００２５】
ダブルラッセルメッシュ６の連結糸６２および他方の表面６３を、ポリエステル繊維で構成するのが好ましい。
【００２６】
ポリエステル繊維は引張強度が高いので、連結糸６２および他方の表面６３をポリエステル繊維で構成することによって、ダブルラッセルメッシュ６の破裂強度を向上させ、耐久性を向上させることが出来る。また、ポリエステル繊維は非常に速乾性に優れているので、シューズ内部の湿った空気をより効果的にシューズ外部に通気させる事が出来る。
【００２７】
また、ポリエステル繊維の他には、ナイロン繊維や、ポリウレタン弾性繊維にポリエステル繊維やナイロン繊維を巻きつけたカバードヤーン繊維等その他同効質の繊維が考えられる。
【００２８】
図７は、本発明の一実施態様によるシューズの斜視図である。図７に示すように、斜線で示した部分、すなわちアッパーのベロ部分２２を生地４または/およびダブルラッセルメッシュ６で構成しても良い。
【００２９】
通常、足で一番汗をかくのは、甲の指上付近である。よって、ベロ部分２２を生地４および／またはダブルラッセル６で構成することによって、より効率的にシューズ内部の空気を外部に通気させる事が出来る。
【００３０】
また、図８は、本発明の一実施態様によるシューズの斜視図である。図８に示すように、アッパー２の甲部分２１を生地４または/およびダブルラッセルメッシュ６で構成しても良い。
【００３１】
甲部分２１とは、図８において斜線で示した部分であり、アッパー２において、ベロ部分２２、履き口部分２３を除いた主に前足部分を覆う部分の事である。
甲部分２１は、直接足の指上には当たらないが比較的汗をかく部位なので、この部分を生地４および／またはダブルラッセル６で構成することによって、より効率的にシューズ１内部の空気を外部に通気させる事が出来る。
【００３２】
また、図９は、本発明の一実施態様によるシューズの斜視図である。図９に示すように、アッパー２の甲部分２１上の指上部分２４に生地４または/およびダブルラッセルメッシュ６で構成しても良い。
【００３３】
指上部分２４とは、図９において斜線で示した部分である。
指上部分２４は、甲部分２１の中でも特に湿度が高くなる部分なので、指上部分２４のみを生地４または/およびダブルラッセル６で構成することによって、より効率的にシューズ１内部の空気を外部に通気させる事が出来る。
また、爪先部分は耐摩耗性を要する部位なので、指上部分２４以外の部分２５を、耐摩耗性に優れる人工皮革で構成することが出来る。
【００３４】
湿度により捲縮率が変化する繊維５で構成した表面６１がシューズ１の内側にくるように構成するのが好ましい。
シューズ１の内側の表面６１を湿度により捲縮率が変化する繊維５で構成することによって、シューズ１内部の湿度変化により早く対応して空隙４３が大きくなり、より効率的にシューズ１内部の空気を外部に通気する事が出来る。
【００３５】
また、湿度により捲縮率が変化する繊維５で構成した表面６１がシューズ１の外側にくるように構成しても良い。
湿度により捲縮率が変化する繊維５を直接足に触れない部分に配置する事によって、捲縮率の変化による表面６１の面積の変化を直接足に感じないように出来るので、より安定した足入れ感を得ることが出来る。
【００３６】
シューズ1のアッパー２として、湿度により捲縮率が変化する繊維５を含むダブルラッセル以外の編物や、織物を用いた場合にも同様の効果を奏する。
【産業上の利用可能性】
【００３７】
本発明の活用例としては、テニス、野球、バスケット、サッカー、ゴルフ、卓球等の競技用のスポーツ用シューズは元より、ウォーキングや紳士シューズ、婦人靴等の歩行のみを目的としたシューズでの使用においても好適である。
【図面の簡単な説明】
【００３８】
【図１】本発明のシューズ１の全体斜視図である。
【図２】湿度により捲縮率が変化する繊維５の湿度６５％の雰囲気下における拡大図である。
【図３】湿度により捲縮率が変化する繊維５の湿度９５％の雰囲気下における拡大図である。
【図４】湿度により捲縮率が変化する繊維５を含む編物４１の湿度６５％の雰囲気下における拡大図である。
【図５】湿度により捲縮率が変化する繊維５を含む編物４１の湿度９５％の雰囲気下における拡大模式図である。
【図６】生地４を３層構造のダブルラッセルメッシュで構成した場合の模式図である。
【図７】本発明の一実施態様によるシューズ１の全体斜視図である。
【図８】本発明の一実施態様によるシューズ１の全体斜視図である。
【図９】本発明の一実施態様によるシューズ１の全体斜視図である。
【符号の説明】
【００３９】
１：シューズ
２：アッパー
２１：甲部分
２２：ベロ部分
２３：履き口部分
２４：指上部分
２５：爪先部分
３：ソール
４：生地
４１：編物
４２：編目
４３：空隙
５；湿度が９５％以上のとき捲縮率が１０％未満、湿度が６５％のとき捲縮率が１５〜２０％かつ捲縮数が２５個／インチ以上であり、さらに湿度が４５％以下のとき捲縮率が２０％以上を示す繊維 （湿度により捲縮率が変化する繊維）
６：ダブルラッセルメッシュ
６１：表面
６２：連結糸
６３：他方の表面
【図１】
2005102933.tif 000003
【図２】
2005102933.tif 000004
【図３】
2005102933.tif 000005
【図４】
2005102933.tif 000006
【図５】
2005102933.tif 000007
【図６】
2005102933.tif 000008
【図７】
2005102933.tif 000009
【図８】
2005102933.tif 000010
【図９】
2005102933.tif 000011